(57)【要約】【課題】ワンセグ放送受信装置による電源投入時及び選局時の、ワンセグ放送受信装置利用者が描画まで待つストレスを、動画描画に先立ち静止画描画することで、軽減できるシステムを提供する。【解決手段】放送波から分離された映像データをデコードするビデオデコーダ１０４と、映像データからデコードされた描画データを一時的に保存しておく描画メモリ１０６と、ビデオデコーダ１０４がＩＤＲ（Instantaneous Decoder Refresh）を頭だしした直後にＩＤＲの静止画を描画メモリ１０６に書き込む制御を行うＩＤＲ制御部１０９と、を有することを特徴とする。【選択図】図１
2010062629.tif 000002
【特許請求の範囲】
【請求項１】
放送波から分離された映像データをデコードするビデオデコーダと、
映像データからデコードされた描画データを一時的に保存しておく描画メモリと、
前記ビデオデコーダがＩＤＲ（Instantaneous Decoder Refresh）を頭だしした直後にＩＤＲの静止画を前記描画メモリに書き込むＩＤＲ制御手段と、
を有することを特徴とする、ワンセグ放送受信装置。
【請求項２】
前記ＩＤＲ制御手段によるＩＤＲの静止画の書き込みは、前記描画データの書き込みに先行することを特徴とする、請求項１記載のワンセグ放送受信装置。
【請求項３】
前記ビデオデコーダは、映像データのデコードの際、まずデコード開始可能なＩＤＲの頭だしを実行し、次に、動画描画のためのデコードを開始することを特徴とする、請求項１又は２記載のワンセグ放送受信装置。
【請求項４】
前記ビデオデコーダは、ＩＤＲの頭だしを、ＩＤＲフレームの同期時に行うことを特徴とする、請求項１から３のいずれか１項記載のワンセグ放送受信装置。
【請求項５】
映像データからデコードされた描画データを一時的に保存しておく描画メモリを有するワンセグ放送受信装置の制御方法であって、
放送波から分離された映像データからＩＤＲ（Instantaneous Decoder Refresh）を頭だしした直後にＩＤＲの静止画を前記描画メモリに書き込むＩＤＲ制御ステップと、
前記映像データをデコードするビデオデコードステップと、
を含むことを特徴とする、ワンセグ放送受信装置の制御方法。
【請求項６】
映像データからデコードされた描画データを一時的に保存しておく描画メモリを有するワンセグ放送受信装置を、
放送波から分離された映像データをデコードするビデオデコーダと、
前記ビデオデコーダがＩＤＲ（Instantaneous Decoder Refresh）を頭だしした直後にＩＤＲの静止画を前記描画メモリに書き込むＩＤＲ制御手段と、
として機能させることを特徴とする、ワンセグ放送受信装置の制御プログラム。
【発明の詳細な説明】
【技術分野】
【０００１】
本発明は、ワンセグ放送受信装置、その制御方法及び制御プログラムに関わり、特に、放送波受信回路の描画機能に関する。
【背景技術】
【０００２】
現在のワンセグ放送受信装置は、電源投入時、又は選局時、動画描画までに３〜５秒を要している。この３〜５秒は、エンコードされた放送波を受信後、ＩＤＲ（Instantaneous Decoder Refresh：参照フレーム制限のある動画デコード時の先頭フレーム）を頭だしし、そこからデコード処理を行い、描画開始するまでの処理にかかる時間である。この時間は、ワンセグ放送受信装置利用者にとってストレスとなる。
【０００３】
電源投入又は選局から描画までの待ち時間を、ワンセグ放送受信装置利用者に感じさせないことを課題にした技術としては、例えば、特許文献１ないし３に記載のものがある。
【０００４】
特許文献１には、２つのチューナ系統を具備することで、事前に決めた周波数の選局において、選局時の放送受信装置利用者を待たせる時間を無くすことが記載されている。特許文献２には、利用者のチャンネル選択操作直後から発生するブランク画像を、あらかじめ第２の出力バッファを用意（バッファ内の映像データを含む）しておくことで、発生させないことが記載されている。特許文献３は、特許文献２の第２バッファ内映像を利用者のチャンネル選択操作前の映像に換えたような構成が記載されている。
【特許文献１】特開２００６−１６６０３５号公報
【特許文献２】特開２００２−０５１３２５号公報
【特許文献３】特開２００６−１４８８２５号公報
【発明の開示】
【発明が解決しようとする課題】
【０００５】
第１の問題点は、ワンセグ放送受信装置利用者が、電源投入時、又は選局時、動画描画まで、２秒から５秒程度、選局した番組の映像表示がなく、待たされることでストレスを感じることである。待たされる理由は、ＩＤＲを頭だし後デコードが完了するまで、描画すべき動画が、用意できないため、従来の装置構成では、対策できないためである。
【０００６】
第２の問題点は、電源投入時、又は選局時、動画描画までの待ち時間を解消するために、チューナを複数搭載する等の、物理的な対策はとりにくいことである。その理由は、ワンセグ放送受信装置は一般に携帯型が多く、小型軽量であることは重要な要素となっていること、またチューナを複数搭載することのコスト高も課題である。
【０００７】
本発明の目的は、ワンセグ放送受信装置による電源投入時及び選局時の、ワンセグ放送受信装置利用者が描画まで待つストレスを、動画描画に先立ち静止画描画することで、軽減できるシステムを提供することにある。
【課題を解決するための手段】
【０００８】
上記目的を達成するために本発明は、以下の構成を備える。
【０００９】
本発明に係るワンセグ放送受信装置は、放送波から分離された映像データをデコードするビデオデコーダと、映像データからデコードされた描画データを一時的に保存しておく描画メモリと、前記ビデオデコーダがＩＤＲ（Instantaneous Decoder Refresh）を頭だしした直後にＩＤＲの静止画を前記描画メモリに書き込むＩＤＲ制御手段と、を有することを特徴とする。
【００１０】
本発明に係るワンセグ放送受信装置の制御方法は、映像データからデコードされた描画データを一時的に保存しておく描画メモリを有するワンセグ放送受信装置の制御方法であって、放送波から分離された映像データからＩＤＲ（Instantaneous Decoder Refresh）を頭だしした直後にＩＤＲの静止画を前記描画メモリに書き込むＩＤＲ制御ステップと、前記映像データをデコードするビデオデコードステップと、を含むことを特徴とする。
【００１１】
本発明に係るワンセグ放送受信装置の制御プログラムは、映像データからデコードされた描画データを一時的に保存しておく描画メモリを有するワンセグ放送受信装置を、放送波から分離された映像データをデコードするビデオデコーダと、前記ビデオデコーダがＩＤＲ（Instantaneous Decoder Refresh）を頭だしした直後にＩＤＲの静止画を前記描画メモリに書き込むＩＤＲ制御手段と、として機能させることを特徴とする。
【発明の効果】
【００１２】
本発明によれば、ワンセグ放送受信装置による電源投入時及び選局時の、ワンセグ放送受信装置利用者が描画まで待つストレスを、動画描画に先立ち静止画描画することで、軽減できるシステムを提供することが可能となる。
【発明を実施するための最良の形態】
【００１３】
以下、本発明の実施の形態について図面を参照して説明する。
図１を参照すると、本発明の一実施の形態としてのワンセグ放送受信装置１００における、放送波受信から選局している番組の映像描画までの構成が示されている。ワンセグ放送受信装置１００は、エンコードされた放送波を受信し、映像、音、データとして出力する受信装置である。
【００１４】
ワンセグ放送受信装置１００は、エンコードされた放送波を受信するアンテナ１０１と、選局を行うチューナ１０２と、多重化されているＴＳ（Transport Stream：映像、音、データを多重化して伝送するパケットの流れ）をＥＳ（Elementary Stream：多重化された映像又は音声を分離した圧縮符号化データ）に分離するＤＥＭＵＸ（多重化されたＴＳをＥＳに分離する）１０３と、分離された映像データをデコードするビデオデコーダ１０４と、ビデオデコード処理に使用するフレームバッファ１０５と、ＩＤＲの頭だし直後に、動画のデコードが完了する前に静止画を先行描画するために、ＩＤＲを描画メモリへ書き込みを行うＩＤＲ制御部１０９と、描画データを書き込む描画メモリ１０６と、音データをデコードするオーディオデコーダ１０７と、データをデコードするデータデコーダ１０８とを具備する。
【００１５】
次に、図１に示した各手段の作用について説明するが、図１のアンテナ１０１、チューナ１０２、ＤＥＭＵＸ１０３、オーディオデコーダ１０７、データデコーダ１０８は、当業者にとってよく知られており、また本発明とは直接関係しないので、その詳細な構成は省略する。
【００１６】
ビデオデコーダ１０４で、デコードを開始するためにまずデコード開始可能なＩＤＲの頭だしを行う。ＩＤＲの頭だしが完了すると、動画描画のためのデコード開始前に、ＩＤＲ制御部１０９にて、ＩＤＲのみを描画メモリ１０６へ書き込む。この処理により、ワンセグ放送受信装置１００の利用者に対して、電源投入後、又は選局後、画像表示を待ち続けていたところへ、動画描画に先行して、まず静止画を描画することが可能となる。次に、頭だしされたＩＤＲより動画描画のためにデコードを開始する。デコードが完了したところで、描画メモリ１０６へ書き込むことで、描画されていた静止画が動画に変わり、視聴開始される。なお、本実施形態においては、ＩＤＲを静止画として描画する。
【００１７】
図１において、ビデオデコーダ１０４は、ＤＥＭＵＸ１０３により分離されたＥＳデータをフレーム化し、隣接ピクチャフレーム間隔算出情報に基づいて出力時間情報を補間し、同期制御後に描画メモリ１０６への書き込みを行う。フレームバッファ１０５は、ビデオデコーダ１０４のフレーム化処理におけるバッファである。描画メモリ１０６は、デコード済みフレームデータを書き込むことで、ワンセグ放送受信装置１００の利用者に対して、描画を行うメモリである。なお、描画メモリ１０６に書き込まれたデータは、順次図示しない表示装置に表示されていくものとする。
【００１８】
次に、図２を参照して本実施形態の動作について説明する。図２は、本実施形態で、ワンセグ放送受信装置１００の利用者が、選局を開始してから、視聴開始可能な、選局完了までの処理を表したものである。もちろん、この様な処理は各種存在し、本実施形態では、その一例を示したに過ぎない。
【００１９】
図２において、ワンセグ放送受信装置１００の利用者による電源投入、又は選局により、目的の放送波と同期をとる（Ｓ１０１）。次に、同期確立により選局しているＴＳを受信する（Ｓ１０２）。受信したＴＳパケット内セクションデータより番組特定情報を検索する（Ｓ１０３）。番組特定後、デコード可能な先頭フレーム（ＩＤＲ）の頭だしを行う（Ｓ１０４）。ＩＤＲデータを描画メモリ１０６に書き込み（Ｓ１０５）、ワンセグ放送受信装置１００の利用者に対して、動画描画に先行して静止画描画を行う。ＩＤＲよりデコードを開始し、動画データを作成する（Ｓ１０６）。動画データを描画メモリ１０６に書き込むことで、ワンセグ放送受信装置１００の利用者に対し、視聴開始する（Ｓ１０７）。
【００２０】
次に、図３を参照して本実施形態の奏する効果について説明する。図３は、本実施形態による、ワンセグ放送受信装置１００の利用者から見た表示画面の遷移を説明するための図である。
【００２１】
図３において、電源投入、又は選局（Ｓ２０１）後は、選局中を示すメッセージが表示される（Ｓ２０２）ことが一般的である。次に、チャンネル番号、番組名称等の番組情報の表示と音声が鳴動される（Ｓ２０３）。本実施形態では、次に、先行して静止画の描画が行われる（Ｓ２０４）。デコードが完了すると、音声と動画が揃い、視聴開始（Ｓ２０５）が可能となる。
【００２２】
本実施形態の奏する第１の効果は、ワンセグ放送受信装置利用者が、電源投入後、又は選局後、視聴開始まで、選局されている番組に関する画像が表示されず、ストレスを感じていたことに関し、ストレスが軽減されることである。その理由は、電源投入後、又は選局後、従来、動画描画される時間よりも早く、先行して静止画が描画されるためである。
【００２３】
電源投入、又は選局から生じるブランク期間を、便宜的に次のＡないしＤの４つに分けると、本実施形態は、ＢからＣの期間に、Ｂの先頭でバッファ格納した静止画を流す構成である。
Ａ：利用者のチャンネル選択操作直後〜ＩＤＲフレーム同期
Ｂ：ＩＤＲフレーム同期〜デコード〜デコード完了
Ｃ：デコードデータをバッファに格納
Ｄ：映像・音声開始〜
【００２４】
また、利用者に示す代替映像も、デコード中の映像データと無関係のものを流す構成ではなく、利用者が選択したチャンネル映像のＩＤＲの最初の静止画を流す構成であり、選択したチャンネルの静止画が、従来よりも早いタイミングで映し出され、且つ、デコード終了時には、そのまま動画に移行するため、違和感がないという顕著な効果がある。
【００２５】
以上、本発明の好適な実施の形態について説明したが、本発明はこれに限定されるものではなく、要旨を逸脱しない範囲内で種々の変形実施が可能である。例えば、本発明の他の実施例として、その基本的構成は上記の通りであるが、ＩＤＲ制御部１０９をビデオデコーダ１０４に含めてもよい。また、ＩＤＲ制御部１０９の機能をソフトウェアで実現してもよいし、ハードウェアで実現してもよい。
【産業上の利用可能性】
【００２６】
本発明の活用例としては、携帯電話機、ＰＤＡ（Personal Data Assistance、Personal Digital Assistants:個人向け携帯型情報通信機器）、パーソナルコンピュータへの接続可能なワンセグ放送受信装置等のワンセグ放送受信装置が挙げられる。
【図面の簡単な説明】
【００２７】
【図１】本発明の一実施の形態としてのワンセグ放送受信装置の構成を示したブロック図である。
【図２】本発明の一実施の形態としてのワンセグ放送受信装置の処理手順を示したフローチャート図である。
【図３】本発明の一実施の形態としてのワンセグ放送受信装置の画面表示の遷移を説明するためのフローチャート図である。
【符号の説明】
【００２８】
１００    ワンセグ放送受信装置
１０１    アンテナ
１０２    チューナ
１０３    ＤＥＭＵＸ
１０４    ビデオデコーダ
１０５    フレームバッファ
１０６    描画メモリ
１０７    オーディオデコーダ
１０８    データデコーダ
１０９    ＩＤＲ制御部
【図１】
2010062629.tif 000003
【図２】
2010062629.tif 000004
【図３】
2010062629.tif 000005